(57)【特許請求の範囲】
【請求項１】
少なくとも一部が強磁性材料から成る軸部とその軸部の先端側に設けられた吸着部とを含み、その吸着部の中心に形成された負圧孔に供給される負圧により電子回路部品を吸着して保持する吸着ノズル側部と、
その吸着ノズル側部の前記軸部が軸方向に摺動可能に嵌合される嵌合孔を備えたホルダ側部と、
そのホルダ側部に設けられた永久磁石と
を含み、前記永久磁石が、前記軸部にその軸部を前記嵌合孔の内周面の予め定められた密着部に向かって引き寄せる磁気力を作用させる状態で設けられ、それにより、前記嵌合孔が、前記密着部において密着した状態で前記軸部を保持する密着保持孔とされた電子回路部品保持装置。
【請求項２】
前記軸部が強磁性材料から成る一方、前記吸着部が非磁性材料から成る請求項１に記載の電子回路部品保持装置。
【請求項３】
前記吸着ノズル側部が、前記ホルダ側部の密着保持孔に、前記軸方向である上下方向に相対移動可能に嵌合され、昇降駆動装置により昇降させられる昇降部材であって、それの少なくとも一部が前記軸部を構成するものを含む請求項１または２に記載の電子回路部品保持装置。
【請求項４】
前記ホルダ側部が、回転軸線を中心線とする一円周上に複数の保持部を備え、前記回転軸線のまわりに回転させられるロータリヘッドを含み、そのロータリヘッドが前記一円周上に複数の嵌合孔が形成されたヘッド本体を含み、前記吸着ノズル側部が、そのヘッド本体に形成された複数の嵌合孔の各々に前記軸方向である上下方向に相対移動可能に嵌合され、昇降駆動装置により昇降させられる複数の昇降部材を含み、前記ヘッド本体の前記複数の嵌合孔の各々を形成する部分が前記複数の保持部を構成している請求項１ないし３のいずれかに記載の電子回路部品保持装置。
【請求項５】
前記永久磁石が、前記ロータリヘッドの前記複数の保持部の各々に対応する複数箇所に設けられた請求項４に記載の電子回路部品保持装置。
【請求項６】
前記永久磁石が、前記ロータリヘッドの前記複数の保持部のうちの複数のものに共通に設けられた請求項４に記載の電子回路部品保持装置。
【請求項７】
前記永久磁石が、前記ホルダ側部に前記軸方向と平行に形成された磁石孔の中心線に平行な方向に並んで複数個設けられた請求項１ないし６のいずれかに記載の電子回路部品保持装置。
【請求項８】
前記永久磁石が、前記磁石孔内に同極同士が互いに対向する状態で設けられた請求項７に記載の電子回路部品保持装置。
【請求項９】
前記ホルダ側部が、回転軸線を中心線とする一円周上に複数の保持部を備え、前記回転軸線のまわりに回転させられるロータリヘッドを含み、そのロータリヘッドが前記一円周上に複数の嵌合孔が形成されたヘッド本体を含み、前記吸着ノズル側部が、そのヘッド本体に形成された複数の嵌合孔の各々に前記軸方向である上下方向に相対移動可能に嵌合され、昇降駆動装置により昇降させられる複数の昇降部材を含み、前記ヘッド本体の前記複数の嵌合孔の各々を形成する部分が前記複数の保持部を構成しており、前記ヘッド本体が非磁性材料から成り、前記昇降部材が強磁性材料から成る請求項１ないし８のいずれかに記載の電子回路部品保持装置。
【請求項１０】
前記吸着ノズル側部が、
前記昇降部材に形成された嵌合孔に摺動可能に嵌合される第１軸部としての前記軸部とは別の第２軸部を備えた吸着ノズルまたは第２軸部を備えるとともに吸着ノズルを着脱可能に保持するアダプタと、
それら吸着ノズルまたはアダプタを、前記第２軸部が前記嵌合孔から突出する向きに付勢する付勢装置と、
その付勢装置の付勢力に基づく前記第２軸部の前記嵌合孔からの突出限度を規定する突出限度規定装置と
を含み、前記第２軸部が非磁性材料から成る請求項９に記載の電子回路部品保持装置。
【発明の詳細な説明】
【技術分野】
【０００１】
本発明は、吸着ノズルにより電子回路部品を吸着して保持する装置に関するものであり、特に、吸着ノズルの、その軸線と直交する方向における位置ずれの防止に関するものである。
【背景技術】
【０００２】
電子回路部品保持装置において吸着ノズルは、軸方向に相対移動可能に設けられる。例えば、下記の特許文献１に記載の部品実装装置においては、ノズルユニットにより複数の吸着ノズルがそれぞれ軸方向に相対移動可能に保持され、それら吸着ノズルのうちの１つが選択されて電子回路部品の装着に使用される。ノズルユニットには、複数の吸着ノズルの各々について突出・格納機構が設けられ、吸着ノズルを、非使用時にはノズルユニット内に格納された状態に保ち、使用時には格納状態を解除して移動させ、ノズルユニットから下方へ突出させる。
下記の特許文献２にも同様に、複数の吸着ノズルのうちの１つを選択して電子回路部品の装着に使用する部品実装装置が記載されている。
また、下記の特許文献３に記載の部品実装装置において吸着ノズルはシャフトにより保持され、シャフトの軸方向の移動および軸線まわりの回転により昇降，回転させられ、電子回路部品の装着を行うようにされている。シャフトはカップリングによりスプライン軸に相対回転不能かつ軸方向に相対移動不能に連結され、スプライン軸が昇降装置によって昇降させられ、ボールスプラインを含む回転装置によって回転させられることにより、シャフトと共に吸着ノズルが昇降，回転させられる。
このように吸着ノズルが軸方向に移動させられる場合、吸着ノズルあるいは吸着ノズルを保持して吸着ノズルと共に移動するシャフトと、それらを軸方向に相対移動可能に保持する部材との間には移動を許容する隙間が設けられるのであるが、その隙間により吸着ノズルに、その軸線と直交する方向のがたつきが発生し、電子回路部品の装着精度低下を招来する。
【０００３】
そのため、特許文献１に記載の部品実装装置においては、複数の吸着ノズルのうち、選択された吸着ノズルを一対のノズル押さえにより半径方向の両側から挟んで拘束し、あるいは１つのノズル押さえにより吸着ノズルをガイド孔の内周面に押し付け、上記隙間によるガタが除去されるようにされている。これらノズル押さえはそれぞれ、駆動装置により吸着ノズルを拘束する位置と解放する位置とに移動させられる。
また、特許文献２に記載の部品実装装置においては、選択された吸着ノズルを負圧により、吸着ノズルの軸方向の移動を案内するガイド部に引き寄せ、ガタが除去されるようにされている。電子回路部品を吸着するために吸着ノズル内の通路に供給される負圧を、吸着ノズルの外面にも作用させ、引き寄せるのである。
さらに、特許文献３に記載の部品実装装置においては、吸着ノズルがスプライン軸により直接保持されるとともに、ボールスプラインが吸着ノズルの近傍に配設され、スプライン軸が吸着ノズルの近傍においてボールスプラインによって保持されることにより、吸着ノズルの位置ずれが防止されるようにされている。
【特許文献１】特開２００３−１０１２９５公報
【特許文献２】特開２００４−３１１６１３公報
【特許文献３】特開２００３−１７４２９０公報
【発明の開示】
【発明が解決しようとする課題】
【０００４】
しかしながら、特許文献１に記載の部品実装装置におけるように、ノズル押さえを設け、駆動装置により駆動して吸着ノズルを拘束するようにすれば、構造が複雑になる問題がある。また、特許文献２に記載の部品実装装置におけるように、負圧によって吸着ノズルを引き寄せる場合、電子回路部品を回路基板に装着する際に、吸着ノズルの位置が変わる恐れがある。吸着ノズルを吸引する負圧は、吸着ノズルが電子回路部品を吸着するための負圧であるが、吸着ノズルが下降させられ、電子回路部品が回路基板に載置される直前に負圧の供給が断たれ、電子回路部品が解放される。それにより、負圧による吸着ノズルの引き寄せも解除され、吸着ノズルが半径方向に動いて電子回路部品の装着位置にずれが生じる恐れがあるのである。吸着ノズルによる電子回路部品の吸着を速やかに解除するために、吸着ノズルに正圧が供給される場合もあり、その場合には一層負圧による吸着ノズルの引き寄せが解除され易くなる。また、特許文献３に記載の部品実装装置においては、ボールスプラインの使用により構造が複雑になり、コストが高くなる問題がある。
本発明は以上の事情を背景として為されたものであり、電子回路部品保持装置において吸着ノズルの、その軸線と直交する方向のガタにより生じる問題を安価にかつ良好に解決することを課題とする。
【課題を解決するための手段】
【０００５】
上記の課題は、電子回路部品保持装置を、(a)少なくとも一部が強磁性材料から成る軸部とその軸部の先端側に設けられた吸着部とを含み、その吸着部の中心に形成された負圧孔に供給される負圧により電子回路部品を吸着して保持する吸着ノズル側部と、(b)その吸着ノズル側部の前記軸部が軸方向に摺動可能に嵌合される嵌合孔を備えたホルダ側部と、(c)そのホルダ側部に設けられた永久磁石とを含み、その永久磁石を、前記軸部にその軸部を前記嵌合孔の内周面の予め定められた密着部に向かって引き寄せる磁気力を作用させる状態で設け、それにより、嵌合孔が、密着部において密着した状態で軸部を保持する密着保持孔とされるものとすることにより解決される。
吸着ノズル側部は、上記軸部と上記吸着部とを一体に備えた吸着ノズル自体でもよく、吸着ノズルと、その吸着ノズルを着脱可能に保持するとともに上記軸部を備えたアダプタとの組立体である第１ノズル側組立体でもよく、さらに、吸着ノズル自体または第１ノズル側組立体を保持して吸着ノズルの軸方向に移動させられる第２ノズル側組立体でもよい。第２ノズル側組立体において、吸着ノズル自体または第１ノズル側組立体を保持する部材が上記軸部を備えてもよい。ホルダ側部も密着保持孔を備えたノズルホルダ自体でもよく、ノズルホルダとそのノズルホルダを保持するホルダ保持部材との組立体であるホルダ側組立体でもよく、密着保持孔を備えた保持孔具備部材とその保持孔具備部材を保持する第１保持部材との組立体である第１保持側組立体でもよく、それらノズルホルダまたは第１保持側組立体とそれらを保持する第２保持部材との組立体である第２保持側組立体でもよい。
【発明の効果】
【０００６】
軸部が嵌合孔の密着部に密着させられれば、軸部は嵌合孔に対して半径方向においては固定されたに等しく、軸部の嵌合孔に対する半径方向のガタが除去される。永久磁石の磁気力は常時、軸部に作用し、軸部は静止時も摺動時もガタが除去された状態に保たれ、吸着ノズルの位置ずれが防止される。
本電子回路部品保持装置は、例えば、電子回路部品装着システムに設けられるが、その電子回路部品装着システムにおいて、吸着ノズルにより吸着された電子回路部品が回路基板に装着される際に、吸着ノズルの位置が半径方向にずれることがなく、精度良く装着することができる。また、電子回路部品が極めて小形であったり、電子回路部品が小形ではないが吸着ノズルの吸着面が大きい等により、電子回路部品と吸着面との差が小さくても、吸着ノズルが予め定められた密着部に密着させられるのであれば、吸着ノズルの半径方向における位置が一定し、その位置が予め判り、その事実を考慮して吸着ノズルの電子回路部品の吸着時における位置の制御が行われることにより、電子回路部品の予め定められた被吸着位置を正確に吸着させることが容易となる。それにより、例えば、吸着ノズルが電子回路部品を吸着し損なったり、被吸着位置から外れた位置を吸着して電子回路部品の保持が不安定になったりすることが回避される。あるいは、吸着面の一部が電子回路部品の外へはみ出した状態で電子回路部品を吸着し、電子回路部品装着システムにおいて認識装置による電子回路部品の認識の際に吸着面の一部も認識され、認識に基づく吸着ノズルによる電子回路部品の保持位置誤差の取得精度が低下して、電子回路部品の装着精度が低下することが防止される。
このように本発明に係る電子回路部品保持装置によれば、ホルダ側部に永久磁石を設け、吸着ノズル側部の軸部を少なくとも一部を強磁性材料製とすることにより、軸部のガタを除去することができ、前記特許文献１に記載のものにおけるように駆動部材を用いることなく、単純な構成で吸着ノズルの位置ずれを防止することができ、あるいは前記特許文献２に記載のものにおけるように負圧を利用しないため、確実に位置ずれを防止することができ、あるいは前記特許文献３に記載のもののようにボールスプラインを使用する必要がないため、前記特許文献３に記載のものに比較して装置コストの増大を抑制することができる。
【発明の態様】
【０００７】
以下に、本願において特許請求が可能と認識されている発明（以下、「請求可能発明」という場合がある。請求可能発明は、少なくとも、請求の範囲に記載された発明である「本発明」ないし「本願発明」を含むが、本願発明の下位概念発明や、本願発明の上位概念あるいは別概念の発明を含むこともある。）の態様をいくつか例示し、それらについて説明する。各態様は請求項と同様に、項に区分し、各項に番号を付し、必要に応じて他の項の番号を引用する形式で記載する。これは、あくまでも請求可能発明の理解を容易にするためであり、請求可能発明を構成する構成要素の組み合わせを、以下の各項に記載されたものに限定する趣旨ではない。つまり、請求可能発明は、各項に付随する記載，実施例の記載，従来技術等を参酌して解釈されるべきであり、その解釈に従う限りにおいて、各項の態様にさらに他の構成要素を付加した態様も、また、各項の態様から構成要素を削除した態様も、請求可能発明の一態様となり得るのである。
【０００８】
なお、以下の各項において、（１）項が請求項１に相当し、（２）項が請求項２に、（５）が請求項３に、（９）項が請求項４に、（１０）項が請求項５に、（１１）項が請求項６に、（１４）項と（１５）項とを合わせ、（８）項の要件を除いたものが請求項７に、（１７）項が請求項８に、（１９）項が請求項９に、（２０）項が請求項１０に、それぞれ相当する。
【０００９】
（１）少なくとも一部が強磁性材料から成る軸部とその軸部の先端側に設けられた吸着部とを含み、その吸着部の中心に形成された負圧孔に供給される負圧により電子回路部品を吸着して保持する吸着ノズル側部と、
その吸着ノズル側部の前記軸部が軸方向に摺動可能に嵌合される嵌合孔を備えたホルダ側部と、
そのホルダ側部に設けられた永久磁石と
を含み、前記永久磁石が、前記軸部にその軸部を前記嵌合孔の内周面の予め定められた密着部に向かって引き寄せる磁気力を作用させる状態で設けられ、それにより、前記嵌合孔が、前記密着部において密着した状態で前記軸部を保持する密着保持孔とされた電子回路部品保持装置。
（２）前記軸部が強磁性材料から成る一方、前記吸着部が非磁性材料から成る(1)項に記載の電子回路部品保持装置。
軸部全体を強磁性材料で形成すれば、軸部のいかなる部分が永久磁石の近くにある状態でも、永久磁石の磁力を軸部に良好に作用させることができる。一方、吸着部まで強磁性材料で形成すれば、電子回路部品に磁力が作用し、負圧の解除による電子回路部品の解放の邪魔になったり、電子回路部品に磁気の悪影響が及んだりする不都合がある。したがって、軸部は強磁性材料で形成し、吸着部は非磁性材料で形成することが望ましい。
（３）前記吸着ノズル側部が、前記軸部と前記吸着部とを一体に備えた吸着ノズルから成る(1)項または(2)項に記載の電子回路部品保持装置。
吸着ノズルそのものが直接、密着保持孔に密着させられ、位置ずれが確実に防止される。
（４）前記吸着ノズル側部が、前記吸着部を備えた吸着ノズルと、その吸着ノズルを着脱可能に保持するとともに、前記軸部を備えたアダプタとを含む(1)項または(2)項に記載の電子回路部品保持装置。
吸着ノズルがアダプタに保持される形態の電子回路部品保持装置において、吸着ノズルの位置ずれが防止される効果が得られる。
（５）前記吸着ノズル側部が、前記ホルダ側部の密着保持孔に、前記軸方向である上下方向に相対移動可能に嵌合され、昇降駆動装置により昇降させられる昇降部材であって、それの少なくとも一部が前記軸部を構成するものを含む(1)項ないし(4)項のいずれかに記載の電子回路部品保持装置。
昇降部材全体が軸部を構成してもよく、昇降部材が、軸部とそれ以外の部分とを含むものとしてもよい。例えば、軸部と、その軸部より大径で吸着ノズルあるいは前記第１ノズル側組立体を保持する保持部とを含むものとしてもよいのである。
昇降部材の昇降により、吸着ノズルが位置ずれを防止されつつホルダ側部に対して昇降させられる。
（６）前記吸着ノズル側部が、
前記昇降部材に形成された嵌合孔に摺動可能に嵌合される、第１軸部としての前記軸部とは別の第２軸部を備えた吸着ノズル、または第２軸部を備えるとともに吸着ノズルを着脱可能に保持するアダプタと、
前記吸着ノズルまたは前記アダプタを、前記第２軸部が前記嵌合孔から突出する向きに付勢する付勢装置と、
その付勢装置の付勢力に基づく前記第２軸部の前記嵌合孔からの突出限度を規定する突出限度規定装置と
を含む(5)項に記載の電子回路部品保持装置。
第２軸部は、非磁性材料から成るものとしてもよく、少なくとも一部が強磁性材料から成るものとしてもよい。
付勢装置により、吸着ノズルまたはアダプタが昇降部材に対して嵌合孔内に引っ込む向きに移動することが許容され、例えば、吸着ノズルが電子回路部品を吸着する際に、吸着ノズルの電子回路部品への当接時の衝撃を緩和することができ、あるいは吸着ノズルが電子回路部品に当接した後も昇降部材が小距離下降し、吸着ノズルが電子回路部品を確実に吸着するようにすることができる。本電子回路部品保持装置が電子回路部品装着システムに設けられ、吸着ノズルが電子回路部品を回路基板に装着する場合にも同様の効果が得られる。
第２軸部が、非磁性材料から成る場合については、(20)項の説明が当てはまり、少なくとも一部が強磁性材料から成る場合については、次項の説明が当てはまる。
（７）前記第２軸部の少なくとも一部が強磁性材料から成り、その第２軸部が前記永久磁石の磁気力により前記嵌合孔の内周面の予め定められた部分に引き寄せられる(6)項に記載の電子回路部品保持装置。
昇降部材がヘッド本体の嵌合孔の予め定められた一部に引き付けられるとともに、第２軸部も昇降部材の嵌合孔の予め定められた一部に引き付けられ、昇降部材のガタ取りと第２軸部のガタ取りとが共に行われる。また、その際、同じ永久磁石を昇降部材と第２軸部とに兼用することも可能である。第２軸部が嵌合される昇降部材の嵌合孔も密着保持孔として機能する。
本項の特徴は(6)項の特徴とは別に採用することも可能である。その場合には、昇降部材をホルダ側部と、また第２軸部を単に軸部と、それぞれ読み替えるべきこととなり、嵌合孔が密着保持孔として機能することとなる。
（８）前記ホルダ側部が、回転軸線を中心線とする一円周上に複数の保持部を備え、前記回転軸線のまわりに回転させられるロータリヘッドを含む(1)項ないし(7)項のいずれかに記載の電子回路部品保持装置。
保持部は３つ以上設けられることが望ましい。
ロータリヘッドは、吸着ノズルを複数備え、電子回路部品を複数保持することができ、例えば、電子回路部品装着システムに設けられる場合、電子回路部品の装着を能率良く行うことができるが、電子回路部品の吸着，装着は、複数の吸着ノズルが１つずつ選択されて、順次、行われるのが普通であり、その選択のために吸着ノズルがホルダ側部に対して軸方向に移動させられるため、本発明の効果を有効に享受し得る。ロータリヘッドは電子回路部品を複数、まとめて保持し、そのために複数の吸着ノズルが電子回路部品の吸着に使用され、ロータリヘッドの吸着ノズルは並行使用型吸着ノズルと称することができる。
（９）前記ロータリヘッドが前記一円周上に複数の嵌合孔が形成されたヘッド本体を含み、前記吸着ノズル側部が、そのヘッド本体に形成された複数の嵌合孔の各々に前記軸方向である上下方向に相対移動可能に嵌合され、昇降駆動装置により昇降させられる複数の昇降部材を含み、前記ヘッド本体の前記複数の嵌合孔の各々を形成する部分が前記複数の保持部を構成している(8)項に記載の電子回路部品保持装置。
昇降部材の少なくとも一部が、永久磁石の磁気力により引き付けられる前記軸部を構成してもよく、吸着ノズルの一部が前記軸部を構成してもよく、吸着ノズルがアダプタにより保持される場合、アダプタの少なくとも一部が前記軸部を構成してもよい。
昇降部材の昇降により、例えば、その昇降部材に保持された吸着ノズルが、他の昇降部材に保持された吸着ノズルより下方へ突出させられ、複数の吸着ノズルのうち、電子回路部品の吸着を行う吸着ノズルが選択される。上記昇降部材，吸着ノズルおよびアダプタのうちの少なくとも１つのものの、前記軸部として機能する部分において、吸着ノズルの位置ずれが抑制される。
（１０）前記永久磁石が、前記ロータリヘッドの前記複数の保持部の各々に対応する複数箇所に設けられた(8)項または(9)項に記載の電子回路部品保持装置。
複数の吸着ノズル側部の各軸部について磁気力を同様にかつ十分に作用させることができ、いずれの軸部についてもガタが良好に除去される。
（１１）前記永久磁石が、前記ロータリヘッドの前記複数の保持部のうちの複数のものに共通に設けられた(8)項または(9)項に記載の電子回路部品保持装置。
永久磁石を、互いに隣接する２つずつの保持部に共通に設けることも可能であり、次項におけるように複数の保持部のすべてに共通に設けることも可能である。永久磁石の数が少なくて済み、配設が容易であり、あるいはコストダウンが可能である。
（１２）前記永久磁石が、前記ロータリヘッドの前記複数の保持部のすべてに共通に、かつ、前記一円周と同心に配設された(11)項に記載の電子回路部品保持装置。
複数の吸着ノズル側部の各軸部の全部について、同様にかつ十分に磁気力が作用し、同様にガタが除去される。(11)項に関連して記載されている効果を特に有効に享受することができる。
（１３）前記永久磁石が前記複数の保持部の内周側に設けられた(8)項ないし(12)項のいずれかに記載の電子回路部品保持装置。
永久磁石を複数の保持部の外周側に設けることも可能である。しかし、保持部の外周側には圧力切換弁，昇降駆動装置等種々の装置が配設されることが多いのに対し、内周側はスペースに比較的余裕がある場合が多く、内周側の方が永久磁石を配設し易いことが多い。
（１４）前記永久磁石が、前記ホルダ側部に前記軸方向と平行に形成された磁石孔に嵌合された(8)項ないし(13)項のいずれかに記載の電子回路部品保持装置。
永久磁石は軸部に沿って配設することが望ましい場合が多く、その場合、ホルダ側部に、軸部に平行な磁石孔を形成すれば容易にその要求を満たし得る。磁石孔は、ホルダ側部の軸方向の両端面の一方から他方に向かって形成されてもよく、両端面の各々から他方の端面に向かって形成されてもよい。
磁石孔が軸方向と平行に形成されれば、永久磁石を軸方向において広い範囲で磁気力が作用するように設けることができ、摺動により軸部の位置が変わっても密着部に密着させられた状態に保つことが容易である。あるいは軸部が軸方向において広い部分において磁気力を受けるようにすることができる。
本(14)項から下記(18)項までの特徴は、ロータリヘッドを含まない電子回路部品保持装置にも適用可能である。その場合、ロータリヘッドを保持ヘッドと読み替えるものとする。
（１５）前記永久磁石が前記磁石孔の中心線に平行な方向に並んで複数個設けられた(14)項に記載の電子回路部品保持装置。
永久磁石は、磁石孔の中心線に平行な方向に長い１個の永久磁石としてもよい。しかし、その場合には、長い永久磁石の長手方向の中央部、すなわち磁石孔の中心線に平行な方向である深さ方向の中央部の周囲に形成される磁界における磁力線の半径方向成分が少なくなるため、吸着ノズル側部の軸部を密着保持孔の密着部に引き付ける力が小さくなる。それに対し、短い永久磁石を前記磁石孔の中心線に平行な方向に並べて配設すれば、磁石孔の深さ方向の中央部における磁力線の半径方向成分が多くなるため、軸部を密着部に引き付ける力が大きくなり、軸部を効果的に密着部に引き付けることができる。
（１６）前記永久磁石が、前記磁石孔内に互いに間隔を隔てて複数個配設された(15)項に記載の電子回路部品保持装置。
永久磁石は２個でもよいが、３個以上が望ましい。また、複数の永久磁石の間にスペーサが配設されることが望ましい。この場合、スペーサを、ゴムまたはその類似物等の弾性材料製とすれば、スペーサを磁石孔にしまり嵌合させることにより、永久磁石を固定することができ、永久磁石自体を磁石孔に固定するのに較べて固定が容易になる。
（１７）前記永久磁石が、前記磁石孔内に同極同士（Ｎ極とＮ極同士、あるいはＳ極とＳ極同士）が互いに対向する状態で設けられた(15)項または(16)項に記載の電子回路部品保持装置。
永久磁石を同極同士が互いに対向する状態で設ければ、磁石孔の外周側に形成される磁界が強くなるとともに、磁力線の半径方向成分が多くなって、軸部を効果的に嵌合孔の密着部に密着させることが可能となり、あるいは磁石孔の中心線に平行な方向に関して、軸部を嵌合孔の密着部に引き付る磁気力を均一に作用させることが容易となって、軸方向の位置の変化に関わらずほぼ均一な力で軸部を引き付けさせることができる。複数の永久磁石の間にスペーサが配設されれば、隣接する永久磁石同士が直接当接する場合に比較して、隣接する永久磁石同士が反発し合う力が小さくて済み、永久磁石の配設や磁石孔への固定が容易となる。
（１８）前記ロータリヘッドが非磁性材料から成るヘッド本体を含む(8)項ないし(17)項のいずれかに記載の電子回路部品保持装置。
ヘッド本体を強磁性材料で形成する場合に比較して、永久磁石の磁束のうち、例えば、前記 (9)項に関する説明中に記載された昇降部材，吸着ノズルおよびアダプタのうちの少なくとも１つのものの、前記軸部として機能する部分を通る部分の割合が大きくなり、その軸部として機能する部分に効果的に磁気力を作用させることができる。
（１９）前記ロータリヘッドが前記一円周上に複数の嵌合孔が形成されたヘッド本体を含み、前記吸着ノズル側部が、そのヘッド本体に形成された複数の嵌合孔の各々に前記軸方向である上下方向に相対移動可能に嵌合され、昇降駆動装置により昇降させられる複数の昇降部材を含み、前記ヘッド本体の前記複数の嵌合孔の各々を形成する部分が前記複数の保持部を構成しており、前記ヘッド本体が非磁性材料から成り、前記昇降部材が強磁性材料から成る(8)項に記載の電子回路部品保持装置。
ヘッド本体を強磁性材料で形成する場合に比較して、永久磁石の磁束のうち昇降部材を通る部分の割合が大きくなり、効果的に昇降部材に磁気力を作用させることができる。昇降部材が嵌合される嵌合孔が密着保持孔として機能する。
（２０）前記吸着ノズル側部が、
前記昇降部材に形成された嵌合孔に摺動可能に嵌合される第１軸部としての前記軸部とは別の第２軸部を備えた吸着ノズルまたは第２軸部を備えるとともに吸着ノズルを着脱可能に保持するアダプタと、
前記吸着ノズルまたは前記アダプタを、前記第２軸部が前記嵌合孔から突出する向きに付勢する付勢装置と、
その付勢装置の付勢力に基づく前記第２軸部の前記嵌合孔からの突出限度を規定する突出限度規定装置と
を含み、前記第２軸部が非磁性材料から成る(19)項に記載の電子回路部品保持装置。
第２軸部は、吸着部に吸着された電子回路部品が認識装置により認識されてから回路基板の装着箇所等に押し付けられるまでの間は、付勢装置の付勢力により突出限度規定装置に押し付けられ、自由な移動を抑制される。したがって、第２軸部のガタが装着位置精度に影響を及ぼすことが少なく、ガタ取りの必要性が低い。一方、第２軸部が昇降部材の嵌合孔の内周面の一部に引き付けられる場合には、第２軸部の移動に対する摩擦抵抗が大きくなり、吸着部の電子回路部品に対する押付力が過大になり易い。したがって、本項におけるように、第２軸部は非磁性材料で形成することが望ましい場合がある。
本項の特徴は、ロータリヘッドの特徴とは別に採用することも可能である。その場合には、ロータリヘッドを保持ヘッドと読み替えるものとする。
【実施例】
【００１０】
以下、請求可能発明のいくつかの実施例を、図を参照しつつ詳しく説明する。なお、請求可能発明は、下記実施例の他、上記〔発明の態様〕の項に記載された態様を始めとして、当業者の知識に基づいて種々の変更を施した態様で実施することができる。
【００１１】
図１に、請求可能発明の一実施例としての電子回路部品保持装置を備えた電子回路部品装着システムが概略的に図示されている。本電子回路部品装着システムは、図１に示すように、基板搬送装置１０，それぞれ部品供給装置の一種であるフィーダ型部品供給装置１２およびトレイ型部品供給装置１４，基板保持装置１６，装着装置１８および制御装置２０を含む。
【００１２】
基板搬送装置１０は、図１に示すように、システム本体としてのベッド３０上に設けられ、回路基板３２を、例えば、水平な一方向に搬送して基板保持装置１６に搬入し、基板保持装置１６から搬出する。基板搬送方向をＸ軸方向とし、基板保持装置１６に保持されている回路基板３２の表面であり、部品装着面に平行な一平面である水平面内においてＸ軸方向と直交する方向をＹ軸方向とする。基板保持装置１６は位置を固定して設けられ、図示は省略するが、例えば、回路基板３２を下方から支持する基板支持装置と、回路基板３２の基板搬送方向に平行な両縁部をそれぞれクランプするクランプ装置とを含み、基板搬送装置１０により搬入された回路基板３２を水平な姿勢で保持する。フィーダ型部品供給装置１２およびトレイ型部品供給装置１４は、本電子回路部品装着システムでは、ベッド３０上の、基板搬送装置１０に対してＹ軸方向に隔たった両側にそれぞれ設けられている。
【００１３】
装着装置１８は、図１および図２に示すように、ロータリヘッド４０，ヘッド保持装置４４，ヘッド移動装置４６，ヘッド昇降装置４８およびヘッド回転装置５０を含む。ヘッド移動装置４６は、図１に示すように、Ｘ軸方向移動装置５４およびＹ軸方向移動装置５６を含む。Ｘ軸方向移動装置５４は、可動部材としてのＸ軸スライド６０とＸ軸スライド移動装置６２とを含む。Ｘ軸スライド移動装置６２は、駆動源たるＸ軸移動用モータ（図示省略）と、ボールねじおよびナットを含む送りねじ機構たるボールねじ機構（図示省略）とを含む。Ｙ軸方向移動装置５６はＸ軸スライド６０上に設けられ、可動部材としてのＹ軸スライド７０とＹ軸スライド移動装置７２とを含む。Ｙ軸スライド移動装置７２は、Ｘ軸スライド移動装置６２と同様に、駆動源たるＹ軸移動用モータ（図示省略）と送りねじ機構（図示省略）とを含む。Ｘ軸移動用モータおよびＹ軸移動用モータは、例えば、電動モータの一種であるエンコーダ付サーボモータにより構成される。サーボモータは、回転角度の正確な制御が可能な電動回転モータであり、サーボモータに代えてステップモータを用いてもよい。リニアモータを用いてもよい。
【００１４】
図２に示すように、Ｙ軸スライド７０に前記ヘッド保持装置４４，ヘッド昇降装置４８およびヘッド回転装置５０が設けられ、Ｘ軸スライド６０およびＹ軸スライド７０の移動により、ヘッド保持装置４４が水平面上の任意の位置へ移動させられる。Ｘ軸，Ｙ軸スライド６０，７０の移動はそれぞれ、例えば、案内装置たるボールリニアガイドにより位置ずれを防止されつつ案内される。ヘッド移動装置４６は、ロータリヘッド４０と基板保持装置１６とを、基板保持装置１６に保持された回路基板３２の部品装着面に平行な方向に相対移動させる相対移動装置である。これらヘッド保持装置４４等は、特開２００６−２６１３２５公報に記載のヘッド保持装置等と同様に構成され、ロータリヘッド４０の基本的な構成は、特開２００６−２６１３２５公報に記載のロータリヘッドと同じであり、簡単に説明する。
【００１５】
ヘッド保持装置４４は、図２に示すように、装置本体たる軸状部材８０および軸状部材８０の下端部に一体的に設けられたヘッド保持部８２とを含む。軸状部材８０は、横断面形状が円形を成し、外周面にスプライン８４が設けられたスプライン軸部材である。ヘッド保持部８２は、横断面形状が円形を成し、軸状部材８０より大きい直径を有する。
【００１６】
ヘッド回転装置５０は、Ｙ軸スライド７０に、基板保持装置１６に保持された回路基板３２の部品装着面に直角な軸線であって、鉛直な軸線まわりに回転可能に保持された回転部材としての回転体８６と、回転部材駆動装置としての回転体駆動装置８８とを含む。回転体駆動装置８８は回転用モータ９０を駆動源とし、その回転が回転体８６に固定のギヤ９２等を含む回転伝達装置により回転体８６に伝達され、回転体８６が鉛直な回転軸線まわりに回転させられる。回転用モータ９０は、例えば、エンコーダ付サーボモータにより構成される。回転体８６は円筒状を成し、その内周面にスプライン９４が設けられてスプライン穴が設けられ、軸状部材８０のスプライン８４が軸方向に相対移動可能かつ相対回転不能に嵌合され、回転体８６の回転により軸状部材８０およびヘッド保持部８２が鉛直軸線まわりに正逆両方向に任意の角度回転させられる。スプライン９４はボール（図示省略）を保持したボールスプラインとされ、スプライン軸部材である軸状部材８０は回転体８６にボールを介してスプライン嵌合され、位置ずれが防止されている。
【００１７】
前記ヘッド昇降装置４８は、図２に示すように、Ｙ軸スライド７０に昇降可能に設けられた昇降部材１００と、駆動源としての昇降用モータ１０２と、Ｙ軸スライド７０に軸方向に相対移動不能かつ鉛直軸線まわりに回転可能に設けられたねじ軸としてのボールねじ１０４および昇降部材１００に固定のナット１０６を含む送りねじ機構１０８とを含む。昇降用モータ１０２は、例えば、エンコーダ付サーボモータにより構成される。軸状部材８０の上部は、昇降部材１００により相対回転可能かつ軸方向に相対移動不能に保持されており、ボールねじ１０４が昇降用モータ１０２により回転させられ、昇降部材１００が昇降させられることによりヘッド保持装置４４が昇降させられる。ヘッド昇降装置４８は、ロータリヘッド４０と基板保持装置１６とを、回路基板３２の部品装着面に直角な方向に相対移動させる相対移動装置であり、互いに接近，離間させる接近・離間装置である。
【００１８】
軸状部材８０内には、その軸線上に通路１１０が設けられるとともに、その外側に円環状通路１１２が設けられ、円環状通路１１２は負圧ポンプ等の負圧源１２０に接続されている。負圧源１２０から円環状通路１１２への負圧の供給は、開閉装置１２２により許容，遮断される。以後、円環状通路１１２を負圧供給通路１１２と称する。通路１１０は、コンプレッサ等の正圧源１２４および前記負圧源１２０に接続されている。通路１１０への正圧の供給と負圧の供給とは切換装置１２６により切り換えられ、正圧と負圧とが択一的に供給される。切換装置１２６により、通路１１０が大気に開放された状態も得られる。以後、通路１１０を正圧・負圧供給通路１１０と称する。
【００１９】
前記ヘッド保持部８２は、図２に示すように、その軸線に直角な一平面状を成し、水平で下向きの吸着面１３０を備えている。ヘッド保持部８２には、図３に示すように、吸着面１３０に開口し、その軸線を中心線とする円環状の負圧室用凹部１３２が形成され、通路１３４により負圧供給通路１１２に連通させられている。正圧・負圧供給通路１１０の下端部は、吸着面１３０に開口させられている。
【００２０】
ロータリヘッド４０は、図３に示すように、ヘッド本体１５０，複数の保持部１５２，それぞれ保持部１５２により保持された吸着ノズル１５４，複数の吸着ノズル１５４の各々について設けられたバルブ装置１５６およびノズル昇降装置１５８を備えている。 ヘッド本体１５０は、製造の都合上、複数の部材が互いに組み付けられて成り、組付け後は一体のヘッド本体１５０として機能する。このヘッド本体１５０は、本実施例では非磁性材料、例えば、アルミニウムにより形成され、横断面形状が円形を成す。ヘッド本体１５０は、その軸線に直角で一平面状の被吸着面１６０を備えており、被吸着面１６０が吸着面１３０に密着させられて負圧室用凹部１３２の開口が塞がれ、ヘッド吸着用負圧室１６２が形成される。負圧供給通路１１２からヘッド吸着用負圧室１６２に供給される負圧によってロータリヘッド４０がヘッド保持装置４４により吸着され、同心に保持される。ロータリヘッド４０はヘッド保持装置４４により保持された状態では、軸線が上下（鉛直）方向となり、ヘッド保持装置４４の昇降，回転により昇降，回転させられる。
【００２１】
ヘッド本体１５０には、図３および図４に示すように、その回転軸線を中心線とする一円周上に複数、例えば、１２個の嵌合孔１７０が形成されている。これら嵌合孔１７０はそれぞれ、横断面形状が円形を成し、図３に示すように、ヘッド本体１５０の回転軸線に平行に延び、ヘッド本体１５０の被吸着面１６０とは反対側の面に開口させられた有底孔であり、下方に開口させられている。なお、図３に示すように、１２個の嵌合孔１７０は、それらのうちの２つは、３０度より大きい角度間隔で設けられ、残りは３０度より小さい等角度間隔で設けられている。このように角度間隔が設けられているのは、後述するレバーおよび第１，第２バルブスプールとレバー駆動部材との干渉を回避するためであるが、本発明とは関係が薄いため、干渉回避についての説明は省略する。
【００２２】
１２個の嵌合孔１７０にはそれぞれ、図３に２つを示すように、昇降部材１７２が上下方向に相対移動可能に嵌合されている。１２個の昇降部材１７２はいずれも、全体が強磁性材料、例えば、ＳＣＭ（クロムモリブデン鋼）により形成され、それぞれについて設けられた昇降駆動装置１７４により個々に昇降させられる。昇降駆動装置１７４は、図３に１つが示されるように、ヘッド本体１５０の嵌合孔１７０より外周側の部分に軸１７６により、嵌合孔１７０の中心線と直角に立体交差する水平な軸線まわりに回動可能に取り付けられた駆動部材としてのレバー１７８を備えている。レバー１７８は板状を成し、軸１７６から延び出させられた一方のアーム部１８０において、昇降部材１７２の上端部に、レバー１７８の回動軸線と平行に設けられた係合部としての軸状部１８２に相対回動可能に係合させられている。レバー１７８の他方のアーム部１８４は、軸１７６からヘッド本体１５０の外へ延び出させられ、その延び出し端部に部分円筒面状を成す係合部１８６が設けられている。レバー１７８は、アーム部１８０とヘッド本体１５０との間に配設された付勢装置の一種である弾性部材としての圧縮コイルスプリング１８８により、ボール１９０を介して昇降部材１７２を上昇させる向きに付勢されている。このスプリング１８８の付勢によるレバー１７８の回動限度は、昇降部材１７２が嵌合孔１７０の底面に当接することにより規定される。昇降部材１７２の嵌合孔１７０の底面に当接する位置が上昇端位置である。
【００２３】
レバー１７８は、図３に示すように、前記回転体８６に、ロータリヘッド４０の回転軸線まわりに相対回転可能に設けられたレバー駆動部材１９２により駆動される。レバー駆動部材１９２は、回転体８６およびリセット部材１９４により、ロータリヘッド４０の回転軸線まわりに相対回転可能に支持されたギヤ１９６から下方へ延び出させられ、ギヤ１９６および駆動源としての旋回用モータ１９８等を含む旋回装置２００により、ロータリヘッド４０に対して旋回させられる。ヘッド保持装置４４により保持されたロータリヘッド４０が下降させられるとき、レバー１７８も下降させられるが、その係合部１８６は、レバー駆動部材１９２の係合部２０２の係合面２０４に係合して下降を阻止される。それにより、ロータリヘッド４０が更に下降させられるのに伴ってレバー１７８の回動軸線が係合部１８６に対して下降させられるとともに、レバー１７８がスプリング１８８の付勢力に抗して回動させられて昇降部材１７２が下降させられる。本ロータリヘッド４０においてはアーム部１８０，１８４の長さが同じにされており、昇降部材１７２は、ロータリヘッド４０の下降距離の２倍の距離下降させられ、１２個の昇降部材１７２のうち、電子回路部品の吸着あるいは装着を行う吸着ノズル１５４を保持した昇降部材１７２が、他の吸着ノズル１５４を保持した昇降部材１７２より下方へ突出させられ、吸着ノズル１５４が選択される。ロータリヘッド４０の上昇時には、レバー１７８はスプリング１８８により付勢され、昇降部材１７２を上昇させる方向に回動させられ、昇降部材１７２がロータリヘッド４０と共に上昇させられつつ、ヘッド本体１５０に対して上昇させられて上昇端位置へ戻り、その昇降部材１７２に保持された吸着ノズル１５４が他の吸着ノズル１５４と同じ高さの位置であって、選択されていない非選択位置に戻る。昇降部材１７２および昇降駆動装置１７４がノズル昇降装置１５８を構成している。
【００２４】
１２個の昇降部材１７２にはそれぞれ、図３に２個を示すように、その内部に下方に開口する有底の嵌合孔２２０が形成され、各嵌合孔２２０に前記吸着ノズル１５４が軸方向に摺動可能にかつ相対回転不能に嵌合されている。吸着ノズル１５４は、軸部２２２および吸着部２２４を有する。軸部２２２は円筒状を成し、全体が非磁性材料、例えば、アルミニウムにより形成されており、嵌合孔２２０に軸方向に摺動可能に嵌合されるとともに、その一端部であり、昇降部材１７２から下方へ突出させられた下端部に吸着部２２４が設けられている。吸着部２２４は、本実施例では、全体が非磁性材料、例えば、セラミックスにより形成され、その中心を貫通して負圧孔２２６が形成され、上端は軸部２２２内に開口させられ、下端は、軸線に直角な吸着面２２８に開口させられている。吸着ノズル１５４には、吸着面２２８の形状，寸法が異なる複数種類のものがある。
【００２５】
吸着ノズル１５４は、軸部２２２と嵌合孔２２０の底面との間に配設された付勢装置の一種である弾性部材としての圧縮コイルスプリング２３０により、軸部２２２が嵌合孔２２０から下方へ突出する向きに付勢されている。このスプリング２３０の付勢による吸着ノズル１５４の下降限度であって、軸部２２２の嵌合孔２２０からの突出限度は、軸部２２２に、その外周面から半径方向外向きに突出する状態で設けられた係合部たる係合突部２３２が、昇降部材１７２の周壁に上下方向に延びる状態で形成された被係合部たる長孔２３４に、上下方向に相対移動可能に嵌合されるとともに、長孔２３４の下側の端面２３６に係合することにより規定される。これら係合突部２３２および長孔２３４が突出限度規定装置２３８を構成している。突出限度規定装置２３８は、係合突部２３２と長孔２３４の側面との係合により吸着ノズル１５４の昇降部材１７２に対する相対回転を阻止する相対回転阻止装置としても機能する。係合突部２３２も、全体が非磁性材料、例えば、アルミニウムにより形成されている。
【００２６】
本実施例においては、昇降部材１７２全体が第１軸部を構成し、吸着ノズル１５４の軸部２２２が第２軸部を構成し、昇降部材１７２および吸着ノズル１５４が吸着ノズル側部を構成している。また、ヘッド本体１５０の１２個の嵌合孔１７０が形成された部分がそれぞれ、保持部１５２を構成し、ロータリヘッド４０は、その回転軸線を中心線とする一円周上に１２個の保持部１５２を備え、ヘッド本体１５０がノズルホルダを構成し、ホルダ側部を構成している。吸着ノズル側部およびホルダ側部は複数ずつ、本実施例では１２ずつある。
【００２７】
前記複数のバルブ装置１５６はそれぞれ、図３に示すように、第１バルブ２４０および第２バルブ２４２を備えている。これら第１，第２バルブ２４０，２４２は、本実施例においてはいずれもスプールバルブとされており、それぞれ第１バルブスプール２４４，第２バルブスプール２４６を備えている。第１，第２バルブスプール２４４，２４６はそれぞれ、ヘッド本体１５０のノズル保持部１５２の外周側部分であって、レバー１７８の回動軸線より外周側の部分に、ロータリヘッド４０の軸線に平行な方向に相対移動可能に嵌合されている。第１バルブスプール２４４は、図３に示すように、前記負圧供給通路１１２からヘッド本体１５０内に形成された負圧通路に供給される負圧の吸着ノズル１５４への供給を阻止する原位置と、原位置からヘッド本体１５０に対して上昇させられた切換位置であって、吸着ノズル１５４への負圧の供給を許容する負圧供給位置とに移動させられる。また、第２バルブスプール２４６は、図３に示すように、第１バルブスプール２４４への負圧の供給を許容するとともに、前記正圧・負圧供給通路１１０から、ヘッド本体１５０内に形成された正圧通路に供給される正圧の吸着ノズル１５４への供給を阻止する原位置と、ヘッド本体１５０に対して原位置から上昇させられ、第１バルブスプール２４４への負圧の供給を遮断するとともに、吸着ノズル１５４への正圧の供給を許容する正圧供給位置とに移動させられる。
【００２８】
これら第１，第２バルブスプール２４４，２４６はそれぞれ、前記レバー駆動部材１９２により、原位置から負圧供給位置，正圧供給位置へ移動させられる。そのため、第１，第２バルブスプール２４４，２４６の各上端部には、ヘッド本体１５０から半径方向外向きに突出する係合部２５０，２５２が設けられ、ロータリヘッド４０の下降時にレバー駆動部材１９２の係合面２０４に係合して下降を阻止され、ヘッド本体１５０に対して上昇させられる。それぞれ負圧供給位置と正圧供給位置とに移動させられた第１，第２バルブスプール２４４，２４６は、ロータリヘッド４０が、電子回路部品の吸着，装着時における上昇端位置より更に上方へ移動させられることにより、前記リセット部材１９４によってヘッド本体１５０に対して下降させられ、原位置へ戻される。
【００２９】
ヘッド本体１５０には、図３および図４に示すように、複数の保持部１５２の各々に対応する複数箇所であって、各保持部１５２の内周側の前記嵌合孔１７０に近接する部分にそれぞれ磁石孔２７０が形成されている。各磁石孔２７０は、ロータリヘッド４０の回転軸線と各嵌合孔１７０の中心線とを含む各平面上に、ロータリヘッド４０の回転軸線と平行に延びる直線を中心線とする円形断面の孔として形成されている。そして、これら磁石孔２７０の各々の内部に永久磁石２７２が複数個ずつ、図示の例では３個ずつ、嵌合され、複数の保持部１５２の内周側に配設されている。これら磁石孔２７０はそれぞれ、昇降部材１７２が嵌合される嵌合孔１７０の上端部から、下側の開口近くに至る長さを有し、上部に開口を有する有底孔とされ、ヘッド本体１５０の軸方向の両端面の一方である上端面側から他方である下端面に向かって形成されている。磁石孔２７０の開口は、ヘッド本体１５０を構成する複数の部材の１つであって、前記被吸着面１６０が設けられた部材により閉塞されている。３個ずつの永久磁石２７２はそれぞれ短い円柱形状を成し、図５に示すように、ゴムまたはその類似物である弾性材料製のスペーサ２７４を間に挟み、磁石孔２７０の中心線に平行に、かつ、その中心線に平行な方向に互いに間隔を隔てて並ぶとともに、同極同士が互いに対向する状態で嵌合されている。スペーサ２７４は磁石孔２７０にしまり嵌合され、それによってスペーサ２７４の下側の永久磁石２７２が磁石孔２７０に固定されている。
【００３０】
一番上の永久磁石２７２は、固定部材２７６により磁石孔２７０に固定されている。固定部材２７６は、中空円筒状の本体部２７８と、中空円筒の周壁が中心線に平行な方向に延びる複数のスリットにより割られるとともに、先端に向かうに従って半径方向外向きに拡がった固定部２８０とを備え、固定部２８０が縮径された状態で磁石孔２７０に嵌合されることにより磁石孔２７０に固定され、一番上の永久磁石２７２を固定する。さらに、固定部２８０に接着剤が塗布されて、磁石孔２７０に接着されてもよい。スペーサ２７４および固定部材２７６が永久磁石を磁石孔に固定する固定装置を構成している。
【００３１】
このように１２個の昇降部材１７２のそれぞれに対応して永久磁石２７２が配設されることにより、強磁性材料製の昇降部材１７２の各々を通って磁界が形成され、昇降部材１７２に、嵌合孔１７０の内周面の予め定められた部分であって、永久磁石２７２に最も近い部分、本実施例ではロータリヘッド４０の回転軸線側の部分である密着部２８４（図３および図４参照）に向かって引き寄せる磁気力が作用する。それにより、昇降部材１７２が密着部２８４に密着させられ、昇降部材１７２と嵌合孔１７０との間の、昇降部材１７２のヘッド本体１５０に対する軸方向の相対移動を許容するために設けられている隙間による昇降部材１７２のガタが除去される。永久磁石２７２が３個、磁石孔２７０の中心線に平行に並んで配設されているため、密着部２８４は嵌合孔１７０の中心線に平行な方向に長く、また、昇降部材１７２の全体が強磁性材料製であるため、昇降部材１７２が上下方向においていずれの位置にあっても磁気力が作用し、密着部２８４に密着した状態に保たれる。さらに、３個の永久磁石２７２は同極同士が互いに対向する状態で設けられており、隣接する永久磁石２７０の磁界同士が反発し、永久磁石の半径方向外側に強い磁界が得られ、昇降部材１７２が密着部２８４に効果的に密着させられる。本実施例においては、１２個の嵌合孔１７０がそれぞれ、密着保持孔とされている。以後、嵌合孔１７０を密着保持孔１７０と称する。
【００３２】
昇降部材１７２に摺動可能に嵌合された吸着ノズル１５４は非磁性材料製であるため、永久磁石２７２の磁気力は作用せず、永久磁石２７２によっては、嵌合孔２２０と吸着ノズル１５４の軸部２２２との間の軸部２２２の軸方向の相対移動を許容するために設けられている隙間によるガタは除去されない。しかし、吸着ノズル１５４は、スプリング２３０により付勢され、突出限度規定装置２３８の係合突部２３２が長孔２３４の端面２３６に押し付けられた状態では、昇降部材１７２に係止されて自由な移動を抑制され、上記隙間によるガタつきの発生が抑制される。
【００３３】
さらに、図１に概略的に示すように、Ｘ軸スライド６０には２組の部品撮像システム３００が設けられ、Ｙ軸スライド７０にはマーク撮像システム３０２が設けられている。これら撮像システム３００，３０２はそれぞれ、認識装置の一種である撮像デバイスとしてのＣＣＤカメラおよび照明装置（図示省略）を備えている。また、前記制御装置２２はコンピュータを主体として構成され、前記基板搬送装置１０等を制御する。
【００３４】
以上のように構成された電子回路部品装着システムにおいて回路基板３２に電子回路部品を装着する場合には、ヘッド保持装置４４により保持されたロータリヘッド４０がフィーダ型部品供給装置１２あるいはトレイ型部品供給装置１４へ移動させられ、吸着ノズル１５４に電子回路部品を吸着させる。この際、ロータリヘッド４０の回転により１２個の吸着ノズル１５４が順次、予め定められた部品吸着位置へ移動させられて昇降させられ、電子回路部品の吸着を行う。１２個の吸着ノズル１５４がいずれも、電子回路部品の吸着，装着に使用される使用ノズルである。レバー駆動部材１９２は、ロータリヘッド４０の回転軸線まわりにおいて部品吸着位置に対応する位置へ移動させられ、ロータリヘッド４０の下降に伴って、電子回路部品の吸着を行う吸着ノズル１５４について設けられたノズル昇降装置１５８のレバー１７８がレバー駆動部材１９２の係合面２０４に係合して回動させられ、電子回路部品の吸着を行う吸着ノズル１５４を保持した昇降部材１７２がヘッド本体１５０と共に下降させられつつ、さらにそのヘッド本体１５０に対して下降させられ、選択された吸着ノズル１５４が電子回路部品に当接させられる。昇降部材１７２は永久磁石２７２の磁気力によって密着部２８４に密着させられているが、レバー１７２によって機械的に駆動されるため、密着部２８４に密着させられた状態を保ちつつ、ヘッド本体１５０に対して下降させられる。
【００３５】
ロータリヘッド４０の下降時にはまた、電子回路部品の吸着を行う吸着ノズル１５４について設けられたバルブ装置１５６の第１バルブスプール２４４の係合部２５０がレバー駆動部材１９２の係合面２０４に係合し、ヘッド本体１５０に対して原位置から負圧供給位置へ上昇させられ、昇降部材１７２に形成された通路，軸部２２２を通って吸着部２２４の負圧孔２２６に負圧が供給され、電子回路部品が吸着される。ロータリヘッド４０は、吸着ノズル１５４が電子回路部品に当接した後、更に小距離、昇降部材１７２が下降させられる距離、下降させられる。この下降は、昇降部材１７２がスプリング２３０を圧縮しつつ吸着ノズル１５４に対して下降することにより許容される。吸着ノズル１５４が電子回路部品を吸着した後、ロータリヘッド４０が上昇させられ、昇降部材１７２と共に吸着ノズル１５４が上昇させられて電子回路部品を取り出す。
【００３６】
全部の吸着ノズル１５４が電子回路部品を吸着したならば、ヘッド保持装置４４はヘッド移動装置４６により基板保持装置１６へ移動させられるが、その途中で部品撮像システム３００に至り、複数の電子回路部品がＣＣＤカメラにより撮像される。ここでは、全部の吸着ノズル１５４に保持された電子回路部品がＣＣＤカメラにより同時に一括して撮像される。そして、撮像データが画像処理コンピュータ（図示省略）により処理され、取得された電子回路部品の画像データに基づいて、複数の電子回路部品についてそれぞれ、保持位置誤差が検出される。電子回路部品の保持位置誤差には、吸着ノズル１５４の軸線に直角な方向の位置誤差であるＸ軸，Ｙ軸方向における各位置誤差、およびＸ軸方向およびＹ軸方向に直角なＺ軸方向に平行な軸線まわりの回転位置誤差が含まれる。
【００３７】
上記Ｘ軸，Ｙ軸方向の各位置誤差は、吸着ノズル１５４の移動位置の修正により修正され、回転位置誤差は、ロータリヘッド４０が回転させられることにより修正される。この際、回路基板３２の部品装着箇所のＸ軸，Ｙ軸方向の各位置誤差および回転位置誤差も合わせて修正され、ロータリヘッド４０の回転による電子回路部品のＸ軸，Ｙ軸方向の位置ずれも修正される。部品装着箇所の位置誤差は、回路基板３２に設けられた複数の基準マーク（図示省略）をマーク撮像システム３０２により撮像することにより取得される。修正後、電子回路部品は回路基板３２に装着されるのであるが、この場合には、電子回路部品の装着を行う吸着ノズル１５４に対応する位置へレバー駆動部材１９２が旋回させられ、ロータリヘッド４０の下降に伴ってレバー１７８に係合し、回動させ、昇降部材１７２がヘッド本体１５０と共に下降させられつつ、さらにそのヘッド本体１５０に対して下降させられて電子回路部品が回路基板３２に載置される。電子回路部品を装着する吸着ノズル１５４が選択され、他の吸着ノズル１５４より下方へ突出させられるのであり、この際にも、昇降部材１７２は密着部２８４に密着させられた状態を保って下降させられる。吸着ノズル１５４は、選択されない状態においても、選択されて昇降させられる状態においても、位置ずれが防止された状態に保たれる。また、電子回路部品の装着時には、前記第２バルブスプール２４６の係合部２５２がレバー駆動部材１９２の係合面２０４に係合してヘッド本体１５０に対して上昇させられ、原位置から正圧供給位置へ移動させられ、吸着ノズル１５４への負圧の供給が遮断されるとともに、正圧が供給され、電子回路部品が積極的に解放される。負圧の供給は、電子回路部品が回路基板３２に当接する直前に遮断され、当接に前後して正圧が供給される。
【００３８】
ロータリヘッド４０は、電子回路部品が回路基板３２に当接した状態から更に昇降部材１７２が小距離下降するように下降させられ、電子回路部品が回路基板３２に確実に載置されるようにされる。電子回路部品の回路基板３２への当接後の昇降部材１７２の下降は、昇降部材１７２がスプリング２３０を圧縮して吸着ノズル１５４に対して下降することにより許容される。この際、突出限度規定装置２３８の係合突部２３２が長孔２３４の下側の端面２３６から離れ、吸着ノズル１５４の昇降部材１７２に対する係止が解除されるが、係合突部２３２が端面２３６から離れるのは、電子回路部品が吸着ノズル１５４によって回路基板３２に押し付けられた後であるので、吸着ノズル１５４の嵌合孔２２０内におけるがたつきに起因する電子回路部品の装着精度低下の問題は生じない。
【００３９】
吸着ノズル１５４は、部品撮像システム３００により電子回路部品が撮像され、位置誤差が算出，修正されて回路基板３２の部品装着箇所上に載置されるまでの間、突出限度規定装置２３８によって昇降部材１７２に係止された状態に保たれるのであり、また、昇降部材１７２は、永久磁石２７２の磁気力によって密着部２８４に密着させられ、常時、ガタを除去された状態に保たれており、上昇端位置に位置する状態においても昇降時においてもガタが除去され、電子回路部品の吸着後、回路基板３２に載置するまでの間、吸着ノズル１５４のヘッド本体１５０に対する、ヘッド本体１５０の半径方向（回転軸線と直交する方向）における相対位置が変わらず、電子回路部品の撮像および基準マークの撮像に基づいて取得された位置誤差を修正することにより、電子回路部品を回路基板３２に精度良く装着することができる。電子回路部品の装着後、ロータリヘッド４０は上昇させられ、レバー１７８が回動させられて昇降部材１７２が上昇させられるとともに、吸着ノズル１５４が上昇させられる。そして、ロータリヘッド４０が移動させられ、次に、保持した電子回路部品を回路基板３２に装着する吸着ノズル１５４が部品装着箇所へ移動させられる。
【００４０】
なお、電子回路部品の吸着時にも装着時と同様に、昇降部材１７２の密着保持孔１７０に対する半径方向の位置は密着部２８４により決められ、一定であるため、そのことを考慮して吸着ノズル１５４の位置決めが行われるようにすれば、昇降部材１７２のがたつきがない分、吸着ノズル１５４を電子回路部品に対して正確な位置に位置決めすることができる。
ただし、吸着ノズル１５４は、それが電子回路部品に当接するまでの間は、突出限度規定装置２３８によって昇降部材１７２に係止された状態に保たれるが、吸着ノズル１５４の昇降部材１７２に対する半径方向の相対位置は一定に決まるわけではないので、吸着ノズル１５４の嵌合孔２２０内におけるがたつきに相当する位置誤差は除去することができない。この位置誤差を除去する必要がある場合には、吸着ノズル１５４の軸部２２０を強磁性材料製とし、永久磁石２７２の磁気力により嵌合孔２２０の密着部に引き付けられるようにすればよい。
【００４１】
図６に示すように、磁石孔３５０の上部と下部とにそれぞれ、永久磁石３５２，３５４を配設してもよい。磁石孔３５０は、例えば、前記磁石孔２７０と同様にロータリヘッド３５５のヘッド本体３５６に形成され、ロータリヘッド３５５の回転軸線に平行に延び、上部に開口が設けられた有底孔とされるとともに、開口部３５８は底部３６０側より大径とされている。永久磁石３５４は、短い円柱形状を成し、外周面に接着剤が塗布されて底部３６０に嵌合され、固定されている。永久磁石３５４の軸方向の一方の端面に接着剤を塗布し、底部３６０の底面に接着してもよい。永久磁石３５２は永久磁石３５４より大径の短い円柱形状を成し、外周面に接着剤が塗布されて開口部３５８に嵌合され、固定されている。永久磁石３５２は、開口部３５８と底部３６０側との間の肩面に当接し、軸方向において位置決めされる。永久磁石３５２も、軸方向の一方の端面に接着剤を塗布し、上記肩面に接着してもよい。これら永久磁石３５２，３５４は、それらの間にスペーサはなく、開けられており、また、磁極が同じ方向を向く状態で固定されている。接着剤が永久磁石３５２，３５４を磁石孔３５０に固定する固定手段を構成している。
【００４２】
永久磁石は、ロータリヘッドの複数の保持部のうちの複数のものに共通に設けられてもよい。例えば、図７に示すロータリヘッド３８０におけるように、それぞれ、１２個の保持部１５２のうちの複数、例えば、互いに隣接する２つずつの保持部１５２に共通に永久磁石３８２を設ける。ヘッド本体３８４の１２個の保持部１５２より内周側の部分の、隣接する２個の保持部１５２の間に対応する部分であって、ロータリヘッド４０の回転軸線を含み、隣接する２個の密着保持孔１７０の間を通る平面上に、ロータリヘッド４０の回転軸線と平行に延びる直線を中心線とする円形断面の孔として磁石孔３８６が１個設けられ、永久磁石３８２が嵌合されている。磁石孔３８６は、例えば、前記磁石孔２７０と同様に形成され、３個の永久磁石３８２がスペーサを間に挟んで嵌合され、固定部材により磁石孔３８６に固定されている。前記磁石孔３５０と同様の磁石孔を形成し、その上部と下部とにそれぞれ永久磁石を配設してもよい。本ロータリヘッド３８０においては、隣接する２個の昇降部材１７２に、それらの間に配設された共通の永久磁石３８２の磁気力が作用し、密着保持孔１７０の内周面の予め定められた部分に引き寄せられ、密着された状態に保たれる。密着保持孔１７０の内周面の永久磁石３８２に最も近い部分が密着部を構成する。
【００４３】
また、永久磁石は、ロータリヘッドの複数の保持部のすべてに共通に、かつ、ロータリヘッドの回転軸線を中心線とする一円周と同心に配設されてもよい。例えば、図８および図９に示すロータリヘッド４００のヘッド本体４０２には、１２個の保持部１５２の内周側に、ロータリヘッド４００の回転軸線を中心線とする円環状を成す磁石孔４１０，４１２がロータリヘッドの軸線方向に距離を隔てて形成され、それぞれ円環状の永久磁石４１４，４１６が嵌合され、固定されている。上側の磁石孔４１０は上方に開口させられた有底孔とされ、下側の磁石孔４１２は下方に開口させられた有底穴とされている。磁石孔４１０，４１２は、ヘッド本体の軸方向の両端面（上側の磁石孔４１０については、ヘッド本体の磁石孔４１０が開口させられた部材の面がヘッド本体の軸方向の端面と考える）の各々から他方の端面に向かって形成されているのである。永久磁石４１４，４１６はそれぞれ、外周面に接着剤が塗布されて磁石孔４１０，４１２に嵌合され、接着されている。
【００４４】
１２個の昇降部材１７２にはそれぞれ、永久磁石４１４，４１６の周方向において対応する部分の磁気力が作用し、昇降部材１７２が上昇端位置に位置する状態においては、永久磁石４１４，４１６の磁気力によって密着保持孔１７０の内周面の予め定められた密着部に密着させられ、上昇端位置から下降した位置においては主に、永久磁石４１６の磁気力によって密着部に密着させられた状態に保たれる。この場合にも、密着保持孔１７０の内周面の永久磁石４１４，４１６に最も近い部分が密着部を構成する。
【００４５】
本発明は、ロータリヘッドを含まない電子回路部品保持装置であって、例えば、１つの吸着ノズルが専用の昇降装置および回転装置によって昇降，回転させられる電子回路部品保持装置にも適用可能である。例えば、前記特許文献３（特開２００３−１７４２９０公報）に記載の電子回路部品保持装置のように、シャフトの下端部に一体的に保持された吸着ノズルと、その吸着ノズルを軸方向に移動させ、昇降させる昇降装置と、吸着ノズルをその軸線まわりに回転させる回転装置とを備え、移動装置により、吸着ノズルの軸線と直交する方向に移動させられる電子回路部品保持装置において、シャフトを、回転装置の回転体を上下方向に貫通して形成された嵌合孔に軸方向に相対移動可能に嵌合するとともに、それらシャフトと回転体との間に、相対回転阻止部材たるキーを設け、シャフトを回転体に対して相対回転不能とする。シャフトを強磁性材料製とし、回転体の、例えば、嵌合孔に対してキーとは反対側であって、嵌合孔に近接する部分に、嵌合孔と平行に延びる磁石孔を設け、永久磁石を設ける。永久磁石は、例えば、図１〜図５に示す実施例の永久磁石２７２と同様に複数、磁石孔の中心線に平行な方向に並んで設ける。吸着ノズルは、シャフトが昇降装置によって昇降させられることにより昇降させられ、回転体が回転駆動装置により回転させられ、シャフトが回転させられることにより回転させられるが、シャフトは、永久磁石の磁気力が作用し、嵌合孔の内周面の予め定められた部分であり、嵌合孔に対してキーが設けられた部分とは反対側の部分であって、永久磁石に最も近い部分である密着部に密着させられており、シャフトのガタが除去され、吸着ノズルの半径方向の位置ずれが防止される。
このような電子回路部品保持装置においては、シャフトが軸部を構成し、吸着ノズルにより構成される吸着部と共に吸着ノズル側部を構成し、嵌合孔を備え、永久磁石が設けられる回転体がホルダ側部を構成し、これらが保持ヘッドを構成する。吸着ノズルをシャフトに形成された嵌合孔に摺動可能に嵌合するとともに、付勢装置および突出限度規定装置を設け、シャフトが昇降部材を構成し、吸着ノズルが第２軸部を備えるようにしてもよく、第２軸部を備えたアダプタに吸着ノズルを保持させてもよく、第２軸部の少なくとも一部を強磁性材料製としてもよい。吸着ノズルを軸方向に摺動可能に保持するシャフトに永久磁石を保持させ、ホルダ側部を構成させてもよい。
【００４６】
また、本発明は、前記特許文献１（特開２００３−１０１２９５公報）および特許文献２（特開２００４−３１１６１３公報）にそれぞれ記載の電子回路部品保持装置のように、複数の吸着ノズルのうちの１つを選択し、その選択された吸着ノズルのみが電子回路部品の吸着に単独で使用される電子回路部品保持装置にも適用可能である。電子回路部品の吸着に使用される吸着ノズルは単独使用型吸着ノズルと称することができ、電子回路部品の吸着に使用されない他の吸着ノズルより突出した選択位置へ移動させられたままとされ、他の電子回路部品の吸着に使用されない吸着ノズルは非選択位置に位置させられたままとされる。この場合、例えば、吸着ノズルを、少なくとも一部が強磁性材料製である軸部を備えたものとし、ノズル保持体に形成された嵌合孔に摺動可能に嵌合するとともに、ノズル保持体に永久磁石を設け、永久磁石の磁気力によって軸部を嵌合孔の内周面に密着させてガタを除去し、吸着ノズルを位置ずれが防止された状態で選択位置に位置させる。ノズル保持体に複数の嵌合孔を形成してそれぞれ昇降部材を上下方向に相対移動可能に嵌合し、各昇降部材の嵌合孔に吸着ノズルを摺動可能に嵌合するとともに、付勢装置および突出限度規定装置を設け、昇降部材の少なくとも一部を強磁性材料製とし、軸部を構成させてもよく、吸着ノズルを第２軸部を備えたものとしてもよく、アダプタを介して吸着ノズルを昇降部材に保持させてもよい。
【００４７】
さらに、本発明は、特開平６−３４２９９８号公報に記載の電子回路部品保持装置のように、ロータリヘッドが回転軸線まわりに回転させられるが、移動，昇降はさせられず、ヘッド本体に、ロータリヘッドの回転軸線を中心とする一円周上に複数、等角度間隔に設けられた複数の吸着ノズルが、ヘッド本体の回転により順次、部品装着ステーション，部品装着ステーション等へ移動させられるとともに、ヘッド本体に対して昇降させられて電子回路部品の吸着，装着を行う電子回路部品保持装置にも適用可能である。
【００４８】
また、例えば、前記昇降部材１７２を非磁性材料製とし、前記吸着ノズル１５４の軸部２２２を強磁性材料製とし、吸着ノズル側部を吸着ノズルから成るものとすることにより、発明の態様の項の（３）項の発明の一実施例である電子回路部品保持装置が得られる。
【００４９】
さらに、例えば、前記昇降部材１７２と、前記吸着ノズル１５４の軸部２２２とを共に強磁性材料製とすることにより、発明の態様の項の（７）項の発明の一実施例である電子回路部品保持装置が得られる。
【００５０】
また、吸着ノズル側部において吸着ノズルはアダプタを介して保持されてもよい。アダプタに対して吸着ノズルが動くことは予定されず、アダプタに対して吸着ノズルを着脱することにより、吸着ノズル側部において吸着ノズルが容易に替えられる。
【００５１】
さらに、２個の永久磁石を円形断面の磁石孔内に上下に距離を隔てて配設する場合、それらの間にスペーサを挟んで軸線方向に位置決めしてもよく、また、永久磁石を円環状とし、複数の保持部の全部について共通に設ける場合、永久磁石をロータリヘッドの回転軸線に平行な方向において長い円筒状を成すものとしてもよい。
【図面の簡単な説明】
【００５２】
【図１】請求可能発明の一実施例である電子回路部品保持装置を備えた電子回路部品装着システムを概略的に示す平面図である。
【図２】上記電子回路部品装着システムの装着装置を示す側面図（一部断面）である。
【図３】上記装着装置のロータリヘッドを示す側面断面図である。
【図４】上記ロータリヘッドのヘッド本体に設けられた保持部および永久磁石の配置を概略的に示す平面図である。
【図５】上記ヘッド本体に配設された永久磁石を示す側面断面図である。
【図６】請求可能発明の別の実施例である電子回路部品保持装置のロータリヘッドの永久磁石および保持部を概略的に示す側面図である。
【図７】請求可能発明の更に別の実施例である電子回路部品保持装置のロータリヘッドにおける保持部および永久磁石の配置を概略的に示す平面図である。
【図８】請求可能発明の更に別の実施例である電子回路部品保持装置のロータリヘッドにおける保持部および永久磁石の配置を概略的に示す平面図である。
【図９】図８に示す保持部および永久磁石を概略的に示す側面図（一部断面）である。
【符号の説明】
【００５３】
４０：ロータリヘッド    ４４：ヘッド保持装置    ４６：ヘッド移動装置    ４８：ヘッド昇降装置    １５０：ヘッド本体    １５２：保持部    １５４：吸着ノズル    １７０：嵌合孔（密着保持孔）    １７２：昇降部材    １７４：昇降駆動装置    ２２０：嵌合孔    ２２２：軸部    ２２４：吸着部    ２２６：負圧孔    ２３０：圧縮コイルスプリング    ２３８：突出限度規定装置    ２７０：磁石孔    ２７２：永久磁石    ２７４：スペーサ    ２８４：密着部    ３５０：磁石孔    ３５２，３５４：永久磁石    ３５５：ロータリヘッド    ３５６：ヘッド本体    ３８０：ロータリヘッド    ３８２：永久磁石    ３８４：ヘッド本体    ３８６：磁石孔    ４００：ロータリヘッド    ４０２：ヘッド本体    ４１０，４１２：磁石孔    ４１４，４１６：永久磁石
【図１】
0004902442.tif 000002
【図２】
0004902442.tif 000003
【図３】
0004902442.tif 000004
【図４】
0004902442.tif 000005
【図５】
0004902442.tif 000006
【図６】
0004902442.tif 000007
【図７】
0004902442.tif 000008
【図８】
0004902442.tif 000009
【図９】
0004902442.tif 000010